(57)【要約】【課題】簡単な構造でキーボードを筐体に取り付けることが可能な電子機器を提供する。【解決手段】電子機器は、筐体２１と、第１の固定片３１および第２の固定片３２を有するとともに、第１の固定片３１および第２の固定片３２を介して筐体２１に取り付けられるキーボード２４と、を具備する。筐体２１は、第１の固定片３１が差し込まれる第１の受け部３３と、第２の固定片３２が差し込まれる第２の受け部３４と、を有する。第１の固定片３１および第２の固定片３２は、互いに異なる方向に延びている。【選択図】  図５
2008276519.tif 000002
【特許請求の範囲】
【請求項１】
筐体と、
第１の固定片および第２の固定片を有するとともに、前記第１の固定片および前記第２の固定片を介して前記筐体に取り付けられるキーボードと、
を具備し、
前記筐体は、前記第１の固定片が差し込まれる第１の受け部と、前記第２の固定片が差し込まれる第２の受け部と、を有するとともに、
前記第１の固定片および前記第２の固定片は、互いに異なる方向に延びていることを特徴とする電子機器。
【請求項２】
前記キーボードは、前記第１の固定片を前記第１の受け部に差し込んだ後、前記第２の固定片を前記第２の受け部に差し込むことで前記筐体に固定されることを特徴とする請求項１に記載の電子機器。
【請求項３】
前記キーボードは、複数のキーを載せこんだフレームを有し、
前記第１の固定片の厚み寸法は、前記フレームの厚み寸法よりも小さいことを特徴とする請求項２に記載の電子機器。
【請求項４】
前記第２の固定片は、係合部を有し、この係合部を介して前記第２の受け部に引っかかることを特徴とする請求項３に記載の電子機器。
【請求項５】
前記第２の固定片および前記第２の受け部のいずれか一方は、可撓性を有することを特徴とする請求項４に記載の電子機器。
【請求項６】
前記第１の固定片は、前記フレームと平行な方向に延びるとともに、
前記第１の受け部は、前記第１の固定片の周囲を取り囲む第１の凹部で構成されることを特徴とする請求項５に記載の電子機器。
【請求項７】
前記第２の固定片は、前記フレームと直交する方向に延びるとともに、
前記第２の受け部は、前記第２の固定片の周囲を取り囲む第２の凹部で構成されることを特徴とする請求項６に記載の電子機器。
【請求項８】
前記第２の凹部を規定する壁部のうち１つは、前記筐体に対して着脱可能に取り付けられるバッテリユニットで構成されることを特徴とする請求項７に記載の電子機器。
【請求項９】
前記第１の固定片は、前記フレームの一方の辺部に配置されるとともに、前記第２の固定片は、前記一方の辺部に対向する他方の辺部に配置されることを特徴とする請求項８に記載の電子機器。
【発明の詳細な説明】
【技術分野】
【０００１】
本発明は、キーボードを備えた電子機器に関する。
【背景技術】
【０００２】
例えば、キーボード取り付け部を有する筐体にキーボードを取り付けた電子機器が開示されている。この電子機器は、筐体と、筐体に設けられたキーボード取り付け部と、キーボード取り付け部に取り付けられたキーボードと、キーボード取り付け部の背後に装着されるバッテリと、を備えている。キーボードは、筐体に固定する際の固定部分となる複数の固定片を有している。筐体は、複数の固定片が固定される複数の受け部を有している。この固定片と、受け部とに、それぞれねじ孔が形成されている。筐体の受け部に固定片を重ね合わせた状態で、固定片と受け部とをねじで固定することにより、キーボードは、筐体に固定される。
【０００３】
この電子機器は、さらに、固定片と受け部とを覆い隠すためのカバーを備えている。カバーを受け部に取り付けることで、ねじの頭部を隠すようにしている。
【特許文献１】特開２００５−１５７７８９号公報
【発明の開示】
【発明が解決しようとする課題】
【０００４】
しかしながら、上記従来の電子機器のようにキーボードの固定にねじを用いると、キーボードを固定する作業が煩雑になる。また、ねじの頭部を隠すためのカバーが別途に必要となり、部品点数が増加する。
【０００５】
本発明の目的は、簡単な構造でキーボードを筐体に取り付けることが可能な電子機器を提供することにある。
【課題を解決するための手段】
【０００６】
前記目的を達成するため、本発明の一つの形態に係る電子機器は、筐体と、第１の固定片および第２の固定片を有するとともに、前記第１の固定片および前記第２の固定片を介して前記筐体に取り付けられるキーボードと、を具備し、前記筐体は、前記第１の固定片が差し込まれる第１の受け部と、前記第２の固定片が差し込まれる第２の受け部と、を有するとともに、前記第１の固定片および前記第２の固定片は、互いに異なる方向に延びている。
【発明の効果】
【０００７】
本発明によれば、簡単な構造でキーボードを筐体に取り付けることが可能な電子機器を提供できる。
【発明を実施するための最良の形態】
【０００８】
以下に、図１から図８を参照して、本発明の電子機器の第１の実施形態について説明する。
【０００９】
図１に示すように、電子機器の一例であるポータブルコンピュータ１１は、本体ユニット１２と、表示ユニット１３と、本体ユニット１２に対して回動できるように表示ユニット１３を支持するヒンジ機構１４と、を備えている。表示ユニット１３は、ディスプレイ１５を有している。ディスプレイ１５は、例えば、液晶ディスプレイで構成されている。
【００１０】
図１、図２、図７に示すように、本体ユニット１２は、筐体２１と、筐体２１に設けられたキーボード取り付け部２２およびパームレスト部２３と、キーボード取り付け部２２に取り付けられたキーボード２４と、筐体２１の後背部に取り付けられたバッテリユニット２５と、筐体２１の内部に収容されたプリント回路板２６と、タッチパッド２７と、ボタン２８と、を有している。
【００１１】
筐体２１は、合成樹脂により箱状に形成されている。筐体２１は、上ケース２１Ａと、下ケース２１Ｂとを重ね合わせて形成されている。図６に示すように、上ケース２１Ａにキーボード取り付け部２２が形成されている。キーボード取り付け部２２は、周囲の部分よりも窪んで平らに形成されている。キーボード取り付け部２２の周囲に、キーボード２４の第１の固定片３１と第２の固定片３２とが差し込まれる第１の受け部３３および第２の受け部３４が設けられているが、これについては後述する。なお、本実施形態では、筐体２１は、合成樹脂により形成されているが、これに限定されるものではない。筐体２１は、例えば、マグネシウム合金によって形成されていてもよい。
【００１２】
プリント回路板２６は、銅製の配線層を複数積層して形成されたプリント配線板２６Ａと、プリント配線板２６Ａ上に実装された回路部品と、を含んでいる。
【００１３】
バッテリユニット２５は、商用交流電源が得られない場所で使用する際の電源となるものである。バッテリユニット２５は、合成樹脂性のケース２５Ａと、ケース２５Ａに収容されるバッテリ２５Ｂと、を含んでいる。バッテリユニット２５は、筐体２１に対して着脱できるように固定されている。
【００１４】
キーボード２４は、一般的なキー配列を有するもので構成されている。図３から図５に示すように、キーボード２４は、フレーム３５と、フレーム３５上に配置された複数のキー３６と、を有している。フレーム３５は、金属の板金により方形に形成されている。フレーム３５は、前縁部３５Ａと、前縁部３５Ａと対向する後縁部３５Ｂと、を有している。キーボード２４は、さらに、筐体２１に固定する際の固定部となる第１の固定片３１および第２の固定片３２を有している。第１の固定片３１および第２の固定片３２は、フレーム３５と一体に形成されている。
【００１５】
第１の固定片３１は、略方形の爪状に形成されている。図５に示すように、第１の固定片３１は、フレーム３５と平行な方向に延びている。第１の固定片３１は、フレーム３５の一方の辺部である前縁部３５Ａの例えば５箇所に分離して配置されている。第１の固定片３１の厚み寸法は、フレーム３５の厚み寸法よりも小さくなっている。
【００１６】
図４と図５に示すように、第２の固定片３２は、略方形の爪状に形成されている。第２の固定片３２は、フレーム３５の一部を折り曲げることで形成されている。第２の固定片３２は、第１の固定片３１とは異なる方向、つまりフレーム３５と直交する方向に延びている。第２の固定片３２は、フレーム３５の他方の辺部である後縁部３５Ｂの例えば２箇所に分離して配置されている。第２の固定片３２は、可撓性を有しており、例えばキーボード２４を筐体２１のキーボード取り付け部２２に装着する際に、前後に撓むことができる。第２の固定片３２は、第２の受け部に引っかかる係合部を有している。本実施形態では、係合部は、円形の貫通孔３７で形成されている。係合部である貫通孔３７は、第２の固定片３２の中央部に１つ形成されている。
【００１７】
一方、図２と図６に示すように、筐体２１の第１の受け部３３は、キーボード取り付け部２２よりも手前側の位置で、キーボード取り付け部２２に隣接して設けられている。第１の受け部３３は、フレーム３５と平行な方向に延びる第１の凹部３３Ａで構成されている。第１の凹部３３Ａは、第１の固定片３１の周囲、つまり４辺を取り囲むことができる。第１の凹部３３Ａの隙間の寸法は、フレーム３５の厚み寸法と略同等かそれよりも若干大きく形成されている。第１の固定片３１が第１の凹部３３Ａに挿入されると、フレーム３５の前縁部３５Ａの上下方向と左右方向の位置決めがなされる。
【００１８】
なお、本実施形態では、キーボード２４を装着する際の前後方向のストロークを確保する観点から、第１の凹部３３Ａを貫通孔として形成している。このため、第１の凹部３３Ａを有底溝状に形成してもよい。
【００１９】
図６から図８に示すように、筐体２１の第２の受け部３４は、キーボード取り付け部２２よりも奥側の位置で、キーボード取り付け部２２に隣接して設けられている。第２の受け部３４は、第２の凹部３４Ａとして形成されており、第２の凹部３４Ａは、キーボード取り付け部２２と直交する方向に延びている。第２の凹部３４Ａは、第２の固定片３２の周囲、つまり４辺を取り囲むことができる。第２の凹部３４Ａを規定する壁部は、筐体２１の上ケース２１Ａに設けられた下垂部３８と、バッテリユニット２５のケース２５Ａと、で構成されている。
【００２０】
図８に示すように、第２の凹部３４Ａは、下垂部３８から下垂部３８と直交する方向に延びた突起部４１を有している。突起部４１は、第２の固定片３２の係合部である貫通孔３７の内側に嵌ることができる。第２の凹部３４Ａに対して第２の固定片３２が差し込まれると、フレーム３５の後縁部３５Ｂは、前後方向に位置決めされる。また、これと同時に、第２の凹部３４Ａに設けられた突起部４１が第２の固定片３２の貫通孔３７の内側に嵌る。これによって、フレーム３５の後縁部３５Ｂは、上下方向および左右方向に位置決めされる。
【００２１】
続いて、図６と図７を参照して、本実施形態のキーボード２４の筐体２１への取り付け作業について説明する。本実施形態では、キーボード２４を筐体２１に取り付ける際は、図６に示すように、まず、第１の固定片３１を第１の凹部３３Ａに差し込むようにする。このとき、第１の固定片３１の厚み寸法は、第１の凹部３３Ａの隙間寸法に比して小さく形成されているため、第１の固定片３１を第１の凹部３３Ａに差し込んだまま、フレーム３５を傾けた状態で保持できる。そして、第２の固定片３２を第２の凹部３４Ａに対して差し込むようにする。このとき、第２の固定片３２は、第２の凹部３４Ａの突起部４１を乗り越えて、第２の凹部３４Ａ内に差し込まれる。このとき、図８に示すように、第２の固定片３２は、後方に微小量撓んで、突起部４１を乗り越えるようにする。第２の固定片３２の貫通孔３７に突起部４１が挿入されると、第２の固定片３２は、第２の凹部３４Ａの内側にきっちりと嵌められる。つまり、キーボード２４は、第１の固定片３１を第１の凹部３３Ａに差し込んで斜めに保持された状態から、作業者が指で押し込むことで、第２の固定片３２を第２の凹部３４Ａ内に差し込むことができる。つまり、作業者は、ワンタッチでキーボード２４を筐体２１に固定することができる。
【００２２】
以上が、ポータブルコンピュータ１１の第１の実施形態である。ポータブルコンピュータ１１は、筐体２１と、第１の固定片３１および第２の固定片３２を有するとともに、第１の固定片３１および第２の固定片３２を介して筐体２１に取り付けられるキーボード２４と、を具備し、筐体２１は、第１の固定片３１が差し込まれる第１の受け部３３と、第２の固定片３２が差し込まれる第２の受け部３４と、を有するとともに、第１の固定片３１および第２の固定片３２は、互いに異なる方向に延びている。
【００２３】
第１の固定片３１と第２の固定片３２とが同一方向に延びていると、キーボード２４に一定の力が加えられた場合に、キーボード２４が筐体２１から外れてしまう事態を生ずる。この構成によれば、キーボード２４に対して一定の力が加えられた場合であっても、第１の固定片３１と第２の固定片３２とによって、キーボード２４を筐体２１に保持することができる。また、筐体２１にキーボード２４を固定する際には、ねじ等を用いないで第１、第２の受け部３３、３４に第１、第２の固定片３１、３２を差し込めば足りるため、キーボード２４を簡単に組み付けることができる。また、ねじの頭部を隠すためのカバー等を必要としないため、部品点数を削減することができる。
【００２４】
この場合、キーボード２４は、第１の固定片３１を第１の受け部３３に差し込んだ後、第２の固定片３２を第２の受け部３４に差し込むことで筐体２１に固定される。この構成によれば、第１の固定片３１によってキーボード２４を筐体２１に対して簡単に位置決めした状態で、第２の固定片３２を第２の受け部３４に差し込むことができるため、第２の固定片３２の差し込みが容易になる。
【００２５】
この場合、キーボード２４は、複数のキー３６を載せこんだフレーム３５を有し、第１の固定片３１の厚み寸法は、フレーム３５の厚み寸法よりも小さくなっている。この構成によれば、第１の受け部３３に対して第１の固定片３１が十分に小さくなるため、第１の受け部３３に第１の固定片３１を斜めに挿入することができる。これにより、キーボード２４の第１の固定片３１を第１の受け部３３に挿入する際にキーボード２４を保持しやすくなり、作業性を向上することができる。
【００２６】
この場合、第２の固定片３２は、係合部である貫通孔３７を有し、この係合部を介して第２の受け部３４に引っかかる。この構成によれば、第２の受け部３４に差し込んだ第２の固定片３２が浮き上がってしまうことを防止することができる。
【００２７】
この場合、第２の固定片３２および第２の受け部３４のいずれか一方は、可撓性を有する。この構成によれば、第２の固定片３２を第２の受け部３４に差し込む際に、第２の固定片３２に応力が集中したとしても、第２の固定片３２を破損してしまうことを防止できる。
【００２８】
この場合、第１の固定片３１は、フレーム３５と平行な方向に延びるとともに、第１の受け部３３は、第１の固定片３１の周囲を取り囲む第１の凹部３３Ａで構成される。この構成によれば、第１の固定片３１を第１の受け部３３に差し込んだ状態で、キーボード２４の上下、左右の位置を決定することができる。
【００２９】
この場合、第２の固定片３２は、フレーム３５と直交する方向に延びるとともに、第２の受け部３４は、第２の固定片３２の周囲を囲む第２の凹部３４Ａで構成される。この構成によれば、第２の固定片３２を第２の受け部３４に差し込んだ状態で、キーボード２４の前後、左右の位置を決定することができる。また、第２の固定片３２の係合部である貫通孔３７が第２の受け部３４に引っかかるようになっているため、キーボード２４の上下の位置も決定することができる。
【００３０】
第２の凹部３４Ａを規定する壁部のうち少なくとも１つは、筐体２１に対して着脱可能に取り付けられたバッテリユニット２５で構成される。この構成によれば、バッテリユニット２５によって、第２の凹部３４Ａを規定する壁部の一部を兼ねることができる。これにより、第２の凹部３４Ａを規定する壁部を筐体２１のみによって形成する場合に比して、壁部が不要になる分キーボード２４をポータブルコンピュータ１１の後方に寄せて配置できる。これによって、パームレスト部２３の面積を大きく確保することができ、キー３６入力時に十分なレスト域が確保され、ポータブルコンピュータ１１の操作性を向上することができる。
【００３１】
この場合、第１の固定片３１は、フレーム３５の一方の辺部である前縁部３５Ａに配置されるとともに、第２の固定片３２は、一方の辺部に対向する他方の辺部である後縁部３５Ｂに配置される。この構成によれば、第１の固定片３１と第２の固定片３２との間に十分な距離を確保することができる。すなわち、第１の固定片３１と第２の固定片３２との距離が近い場合に、第１の固定片３１を第１の受け部３３に差し込んだ状態で、第２の固定片３２を第２の受け部３４に差し込むには、フレーム３５を大きく傾ける必要がある。このとき第１の受け部３３に応力が集中するおそれがある。本実施形態では、第１の固定片３１と第２の固定片３２との間に十分な距離が確保されるため、キーボード２４の装着時のフレーム３５の傾く角度を小さくして、第１の凹部３３Ａに応力が集中してしまうことを防止できる。
【００３２】
続いて、図９を参照して、電子機器の第２の実施形態について説明する。第２の実施形態の電子機器の一例であるポータブルコンピュータ５１は、第２の固定片５２と第２の受け部５３が第１の実施形態と異なっているが、他の部分は共通している。このため、主として第１の実施形態と異なる部分について説明し、共通する箇所については共通の符号を付して説明を省略する。
【００３３】
第２の実施形態にかかるポータブルコンピュータ５１の外観は、図１に示すものと同じである。
【００３４】
キーボード２４は、フレーム３５と、フレーム３５上に配置された複数のキー３６と、を有している。フレーム３５は、前縁部３５Ａと、前縁部３５Ａと向かい合う後縁部３５Ｂと、を有している。キーボード２４は、フレーム３５と一体に形成された第１の固定片３１および第２の固定片５２を有している。
【００３５】
第１の固定片３１は、第１の実施形態のものと同形態である。第２の固定片５２は、略方形の爪状に形成されている。第２の固定片５２は、フレーム３５の一部を折り曲げて形成され、フレーム３５と直交する方向に延びている。第２の固定片５２は、フレーム３５の他方の辺部である後縁部３５Ｂの例えば２箇所に分離して配置されている。第２の固定片５２は、係合部を有している。第２の実施形態では、係合部は、第２の受け部５３に設けられたフック部５３Ｂが引っかかる切欠部５４で形成されている。切欠部５４は、第２の固定片５２の左右の縁部に一対に形成されている。
【００３６】
一方、筐体２１の第１の受け部３３は、第１の実施形態と同形態に形成されている。筐体２１の第２の受け部５３は、キーボード取り付け部２２よりも手前側の位置で、キーボード取り付け部２２に隣接して設けられている。第２の受け部５３は、第２の凹部５３Ａとして形成されており、第２の凹部５３Ａは、キーボード取り付け部２２と直交する方向に延びている。第２の凹部５３Ａは、第２の固定片５２の周囲、つまり４辺を取り囲むことができる。第２の凹部５３Ａを規定する壁部は、筐体２１の上ケース２１Ａに設けられた下垂部３８と、バッテリユニット２５のケース２５Ａと、で構成されている。
【００３７】
第２の凹部５３Ａは、下垂部３８から立ち上がったフック部５３Ｂを有している。フック部５３Ｂは、可撓性を有している。フック部５３Ｂは、第２の固定片５２が第２の凹部５３Ａに差しこまれる際に撓んで、第２の固定片５２を受容することができる。また、フック部５３Ｂは、元の位置に復元して、その先端を第２の固定片５２の切欠部５４に係合する。
【００３８】
第２の凹部５３Ａに対して第２の固定片５２が差し込まれると、フレーム３５の後縁部３５Ｂは、前後方向に位置決めされる。また、フック部５３Ｂが第２の固定片５２の切欠部５４の内側に嵌ると、フレーム３５の後縁部３５Ｂは、上下方向および左右方向に位置決めされる。
【００３９】
第２の実施形態において、キーボード２４を筐体２１に取り付ける際は、第１の固定片３１を第１の凹部３３Ａに差し込む。次に、第２の固定片５２を第２の凹部５３Ａに対して差し込む。このとき、第２の固定片５２は、第２の凹部５３Ａのフック部５３Ｂを乗り越えて、第２の凹部５３Ａ内に差し込まれる。このとき、一対のフック部５３Ｂは、周囲に開くように微小量撓む。第２の固定片５２の係合部である切欠部５４にフック部５３Ｂの先端が挿入されると、第２の固定片５２は、第２の凹部５３Ａの内側にきっちりと嵌る。つまり、作業者は、ワンタッチでキーボード２４を筐体２１に固定することができる。
【００４０】
第２の実施形態によれば、筐体２１側の第２の受け部５３のフック部５３Ｂに可撓性を持たせる場合であっても、キーボード２４を筐体２１にワンタッチで装着することができる。
【００４１】
本実施形態の筐体２１およびキーボード２４は、上記実施形態に示したポータブルコンピュータ１１、５１用に限られず、例えばデスクトップパソコンのようなその他の電子機器に対しても実施可能である。その他、電子機器は、発明の要旨を逸脱しない範囲で種々変形して実施することができる。
【図面の簡単な説明】
【００４２】
【図１】第１の実施形態に係るポータブルコンピュータの斜視図。
【図２】図１に示すポータブルコンピュータの本体ユニットの上面図。
【図３】図２に示す本体ユニットのキーボードを示す上面図。
【図４】図３に示すキーボードを示す背面図。
【図５】図３に示すキーボードのＦ５−Ｆ５線に沿った断面図。
【図６】図２に示す本体ユニットのキーボードを取り付ける工程を示す断面図。
【図７】図２に示す本体ユニットの縦方向に沿った断面図。
【図８】図７に示す本体ユニットの第２の固定片周りを拡大した断面図。
【図９】第２の実施形態に係るポータブルコンピュータの第２の固定片周りを拡大して示す断面図。
【符号の説明】
【００４３】
１１、５１…ポータブルコンピュータ、２１…筐体、２４…キーボード、２５…バッテリユニット、３１…第１の固定片、３２、５２…第２の固定片、３３…第１の受け部、３３Ａ…第１の凹部、３４、５３…第２の受け部、３４Ａ、５３Ａ…第２の凹部、３５…フレーム、３５Ａ…前縁部、３５Ｂ…後縁部、３６…キー、３７…貫通孔、５３Ｂ…フック部
５４…切欠部
【図１】
2008276519.tif 000003
【図２】
2008276519.tif 000004
【図３】
2008276519.tif 000005
【図４】
2008276519.tif 000006
【図５】
2008276519.tif 000007
【図６】
2008276519.tif 000008
【図７】
2008276519.tif 000009
【図８】
2008276519.tif 000010
【図９】
2008276519.tif 000011